(57)【要約】  【課題】製造コストを低く抑えることができると共にエアフィルターに付着した塵埃を効率よく除去することができる空気調和機用回転ロータ及び空気調和機を提供する。【解決手段】  空気調和機に取着されたエアフィルターに堆積した塵埃を除去する空気調和機用回転ロータ２０であって、外周の長手方向に設けられた溝部２５を有する回転棒２６と、該回転棒２６の溝部２５に挿脱自在な基部と該基部から前記溝部２５よりも突出させてなる複数のブレードとを備えた清掃体２７とからなり、前記複数のブレードは、回転棒の中心から半径方向に延びる第１のブレードと、該第１のブレードの中間部から延びる少なくとも１本の第２のブレードとを有する。【選択図】図３
2008020101.tif 000002
【特許請求の範囲】
【請求項１】
空気調和機に取着されたエアフィルターに堆積した塵埃を除去する空気調和機用回転ロータであって、外周の長手方向に設けられた溝部を有する回転棒と、該回転棒の溝部に挿脱自在な基部と該基部から前記溝部よりも突出させてなる複数のブレードとを備えた清掃体とからなり、前記複数のブレードは、回転棒の中心から半径方向に延びる第１のブレードと、該第１のブレードの中間部から延びる少なくとも１本の第２のブレードとを有することを特徴とする空気調和機用回転ロータ。
【請求項２】
第１のブレードの先端及び、第２のブレードの先端が、回転ロータの回転外径上にあることを特徴とする請求項１に記載の空気調和機用回転ロータ。
【請求項３】
溝部を、回転棒の外周の長手方向に螺旋状に形成した請求項１又は２に記載の空気調和機用回転ロータ。
【請求項４】
回転棒を、金属材で形成した請求項１から３のいずれか１項に記載の空気調和機用回転ロータ。
【請求項５】
熱交換器と、該熱交換器の上流側に設けられたエアフィルターと、請求項１から４のいずれか１項に記載の空気調和機用回転ロータとを備えた空気調和機。
【発明の詳細な説明】
【技術分野】
【０００１】
本発明は、空気調和機に取り付けられたエアフィルターの清掃を行う空気調和機用回転ロータと、それを用いた空気調和機に関するものである。
【背景技術】
【０００２】
従来の空気調和機用回転ロータについて、図７及び図８を用いて説明する。図７は従来の空気調和機用回転ロータを配した空気調和機の縦断面図であり、図８は同空気調和機用回転ロータの斜視図である。
【０００３】
図７において、空気調和機本体１内には、熱交換器２と、室内の空気を取り入れる吸込口３と、前記熱交換器２と前記吸込口３の間に設けられたベルト状のエアフィルター４と、このエアフィルター４を張設した駆動軸６及び従動軸７と、前記駆動軸６を回転駆動するサーボモーター５と、前記エアフィルター４で捕集された塵埃を除去する空気調和機用回転ロータ８（以下、「回転ロータ８」という）と、前記回転ロータ８を回転駆動する駆動手段（図示せず）と、前記吸込口３と連通し前記回転ロータ８を内設し排出口９を有する排気管１０と、前記排気管１０内に設けられた塵埃排出用ファン１１と、前記吸込口３から室内の空気を吸引し、熱交換器２を通して吹き出し口１２から熱交換された空気を室内に吹き出すファン１３とを備えている。
【０００４】
回転ロータ８は、図８に示すように、回転自在の回転棒８ａと、この回転棒８ａの外周の長手方向に直線状に一定間隔にて植設されたブラシ状の清掃体８ｂとから構成されている。上記構成による回転ロータと空気調和機の動作、作用は以下の通りである。
【０００５】
空気調和機本体１を、例えば、冷房運転すると、ファン１３により室内の空気が吸引口３から流入し、エアフィルター４を通って熱交換器２に至り、そこで冷却され、冷たい空気が吹き出し口１２から室内に吹き出される。吸引される室内の空気に含まれる塵埃は、前記エアフィルター４で捕集され、エアフィルター４の表面に堆積する。エアフィルター４の表面に塵埃が堆積してくると、空気の通気圧損が増加し、熱交換効率が低下してくるので、定期的に或いは、必要に応じて、エアフィルター４上の塵埃の除去運転が必要となる。
【０００６】
塵埃の除去運転は、サーボモーター５を運転して駆動軸６を回転させてベルト状のエアフィルター４を連続的に移動させ、その間に回転ロータ８を回転させると共に塵埃排出用ファン１１を運転するもので、エアフィルター４上の塵埃が、回転ロータ８の清掃体８ｂで掻き取られ、掻き取られた塵埃は、塵埃排出用ファン１１により吸引され、排出口９より室外に排出されるようになっている（例えば、特許文献１参照）。
【０００７】
【特許文献１】特開平６−７４５２１号公報
【発明の開示】
【発明が解決しようとする課題】
【０００８】
上記従来の技術では清掃体８ｂが均一に植設された毛材よりなるため、製造コストが高いわりにはエアフィルターの網目に付着した塵埃を除去する効率はあまり良くなかった。即ち、エアフィルターの網目に付着した塵埃を効率よく除去するには、清掃体がエアフィルタの表面に接触するだけではなく、エアフィルターの表面を叩く動作が必要とされる。
【０００９】
本発明は上記点に鑑み、製造コストを低く抑えることができると共にエアフィルターに付着した塵埃を効率よく除去することができる空気調和機用回転ロータ及び空気調和機を提供することを目的とする。
【課題を解決するための手段】
【００１０】
請求項１の発明は、空気調和機に取着されたエアフィルターに堆積した塵埃を除去する空気調和機用回転ロータであって、外周の長手方向に設けられた溝部を有する回転棒と、該回転棒の溝部に挿脱自在な基部と該基部から前記溝部よりも突出させてなる複数のブレードとを備えた清掃体とからなり、前記複数のブレードは、回転棒の中心から半径方向に延びる第１のブレードと、該第１のブレードの中間部から延びる少なくとも１本の第２のブレードとを有することに特徴を有する。回転ロータを、第１のブレード、第２のブレードの順でエアフィルターに当接するような方向に回転させると、まず、第１のブレードは、エアフィルターに対してほぼ垂直に当接するため、エアフィルターの表面を強い腰で叩いて塵埃を粗取りし、次に、第２のブレードは、その先端が反回転方向側へ傾斜した状態でエアフィルターに当接するため、柔らかな腰でしなやかに撓みながら、第１のブレードで取り残した塵埃を仕上げるように拭き取って除去することができる。
【００１１】
請求項２の発明は、請求項１の発明において、第１のブレードの先端及び、第２のブレードの先端が、回転ロータの回転外径上にあることに特徴を有する。したがって、第１のブレードと第２のブレードとは共に回転ロータの回転中心からブレード先端までの距離が等しくなる。よって、エアフィルターに均一にブレード先端を当接させることが出来る。
【００１２】
請求項３の発明は、請求項１又は２の発明において、溝部を、回転棒の外周の長手方向に螺旋状に形成したことに特徴を有する。したがって、溝部に挿入される清掃体も螺旋状になるので、直線状の清掃体よりもエアフィルターに接触する面積が増し清掃効率を高めることができる。また、擦動抵抗が分散されるため、消費電力を軽減できる。
【００１３】
請求項４の発明は、請求項１から３のいずれか１項に記載の発明において、回転棒を、金属材で形成したことに特徴を有する。したがって、溝の作成等の加工が容易であり、製造コストを下げることができる。また、径小でも必要強度の確保が容易で、長尺における曲がり精度も良好な回転棒が製造できる。
【００１４】
請求項５の発明は、熱交換器と、該熱交換器の上流側に設けられたエアフィルターと、請求項１から４のいずれか１項に記載の空気調和機用回転ロータとを備えた空気調和機に特徴を有するので、空気調和機の製造コストを低減することができると共に、エアフィルターの塵埃を効率よく除去することによって、熱交換効率を上げることができる。
【発明の効果】
【００１５】
本発明では、回転ロータの清掃体のブレードを複数とすることによって製造コストを抑えつつ、エアフィルターの塵埃を効率よく除去することが可能となる。この回転ロータを空気調和機に使用することによって、空気調和機の熱交換率を上げることができることから、電気代の節約にもつながる。
【発明を実施するための最良の形態】
【００１６】
次に、本発明の実施形態を図面に基づいて説明する。図１は本発明の第１実施形態における空気調和機用回転ロータを搭載した空気調和機の縦断面図である。図１において、空気調和機本体１５は、熱交換器１６と、室内の空気を取り入れる吸込口１７と、前記熱交換器１６と前記吸込口１７との間に配され、前記吸込口１７から流入する空気中に含まれる塵埃を捕集するエアフィルター１８と、前記エアフィルター１８の上流側に配されると共に、前記エアフィルター１８で捕集された塵埃を除去する空気調和機用回転ロータ２０（以下、「回転ロータ２０」という）と、前記回転ロータ２０を回転駆動する回転駆動手段（図示せず）と、前記回転ロータ２０を前記エアフィルター１８の上流側の表面に沿って上下方向に移動させる上下移動手段（図示せず）と、前記吸込口１７から室内の空気を吸引し、エアフィルター１８、熱交換器１６を通して、吹き出し口２１から、熱交換された空気を室内に吹き出すファン２２とを備えている。
【００１７】
次に、図２、図３及び図４用いて第１実施形態の回転ロータ２０の構成について説明する。回転ロータ２０はアルミニウムなどの金属材料からなり、外周に、且つ長手方向に螺旋状に形成された溝部２５を有する回転棒２６と、エアフィルター１８に付着した塵埃を掻き取る清掃体２７と、清掃体２７の抜け止め用のキャップ２８から構成されている。
【００１８】
ここで、清掃体２７は、回転棒２６の溝部２５に挿脱自在な基部２７１と、この基部２７１から前記溝部２５よりも上方へ突出させ、回転棒２６の中心から半径方向に延びる第１のブレード２７２と、この第１のブレード２７２の、基部２７１と凸部２７２ａの間で形成される中間部から、第１のブレード２７２の延びる方向に対して約９０度の角を有する方向に延びる第２のブレード２７３とを備えている。
【００１９】
そして、第１のブレード２７２は先端に円形の凸部２７２ａが形成されている。また、第２のブレード２７３は先端の２箇所に山形の凸部２７３ａ、２７３ｂが形成されている。
尚、図３の仮想線で示すように、本実施形態の清掃体２７の第１のブレード２７２の先端と、第２のブレード２７３の先端とは、回転棒２６に装着した時に回転棒２６の回転の中心からの距離が同じとなるように製作されている。
【００２０】
図５は第２実施形態の清掃体２９を示す図である。この実施形態では上述した第１実施形態と同様に、回転棒２６の溝部２５に基部２９１が挿脱自在になっている。そして、この基部２９１から前記溝部２５よりも上方へ突出させ、回転棒２６の中心から半径方向に延びる第１のブレード２９２と、この第１のブレード２９２の中間部から、第１のブレード２９２の延びる方向に対して約９０度の角を有する方向に延びる第２のブレード２９３と、この第２のブレード２９３と平行で第１のブレード２９２の中間部から延びる第３のブレード２９４とを備えている。
【００２１】
そして、第１実施形態と同様にして、第１のブレード２９２は先端に円形の凸部２９２ａが形成されている。また、第２のブレード２９３は先端の２箇所に山形の凸部２９３ａ、２９３ｂが形成されている。さらに、第３のブレード２９４は先端の２箇所に山形の凸部２９４ａ、２９４ｂが形成されている。
尚、第１実施形態と同様に、本実施形態の清掃体２９の第１のブレード２９２の先端と、第２のブレード２９３の先端と、第３のブレード２９４の先端とは、回転棒２６に装着した時に回転棒２６の回転の中心からの距離が同じとなるように製作されている。
【００２２】
次に、本発明の回転ロータ及びこれを搭載した空気調和機の動作について図１に基づいて説明する。空気調和機の本体１５を、例えば、冷房運転すると、ファン２２により室内の空気が吸込口１７から流入し、エアフィルター１８を通って熱交換器１６に至り、そこで冷却され、冷たい空気が吹き出し口２１から室内に吹き出される。吸込口１７から吸引される室内の空気に含まれる塵埃は、エアフィルター１８で捕集され、エアフィルター１８の表面に次第に堆積していく。エアフィルター１８の表面に塵埃が堆積してくると、空気の通気圧損が増加し、熱交換器１６での熱交換効率が低下してくるので、定期的に或いは、必要に応じて、エアフィルター１８に堆積した塵埃の除去運転が必要となる。
【００２３】
塵埃の除去運転の開始に当たり、回転ロータ２０は、図６に示すように、エアフィルター１８の下端に位置している。塵埃の除去運転を開始すると、回転駆動手段（図示せず）により回転ロータ２０が矢印方向に回転すると共に、その回転する回転ロータ２０が上下移動手段（図示せず）で、エアフィルター１８の表面に沿って上方に移動する。この間に、清掃体２７の第１のブレード２７２及び第２のブレード２７３の先端で、エアフィルター１８に付着堆積した塵埃が掻き落とされる。掻き落とされた塵埃は、図示しない塵埃吸引手段で吸引されると共に、屋外へ排出されるようになっている。
尚、上下移動手段により、回転ロータ２０がエアフィルター１８の上端まで達すると、自動的に下降し、次回の塵埃の除去運転用に、エアフィルター１８の下端で停止するようになっている。
【００２４】
尚、本発明の趣旨を逸脱しない範囲において、種々の実施形態をとることができることは言うまでもない。例えば、図２において、回転棒２６の２条の溝部２５に清掃体２７を装着しているが、溝部を４条にして、この溝部の全てに清掃体２７を装着してもよい。
【産業上の利用可能性】
【００２５】
本発明の空気調和機用回転ロータ及び空気調和機は主に室内の冷房、暖房、除湿等を行う空気調和機として、又は、この空気調和機のエアフィルターの清掃のために利用される。
【図面の簡単な説明】
【００２６】
【図１】本発明の第１実施形態における空気調和機用回転ロータを搭載した空気調和機の縦断面図である。
【図２】同空気調和機用回転ロータの斜視図である。
【図３】第１実施形態における空気調和機用回転ロータの断面図である。
【図４】第１実施形態における清掃体の断面図である。
【図５】第２実施形態における清掃体の断面図である。
【図６】本発明における空気調和機の内部構成の概略を示す斜視図である。
【図７】従来の空気調和機用回転ロータを配した空気調和機の縦断面図である。
【図８】同空気調和機用回転ロータの斜視図である。
【符号の説明】
【００２７】
１５  空気調和機本体
１８  エアフィルター
２０  回転ロータ
２５  溝部
２６  回転棒
２７，２９  清掃体
２７１  基部
２７２，２９２  第１のブレード
２７３，２９３  第２のブレード
２９４  第３のブレード
【図１】
2008020101.tif 000003
【図２】
2008020101.tif 000004
【図３】
2008020101.tif 000005
【図４】
2008020101.tif 000006
【図５】
2008020101.tif 000007
【図６】
2008020101.tif 000008
【図７】
2008020101.tif 000009
【図８】
2008020101.tif 000010